(57)【要約】      （修正有） 【課題】ティッシュ箱を壁や柱などの鉛直面に保持するためのティッシュ箱保持具であって、販売時や保管時にコンパクトに収納できるうえ、保持したティッシュ箱のずり落ち防止ができ、さらに、箱の保持性能を上げるべくゴムひもの張力を強くした場合にもゴムひもがしっかり固定板に保持されるとともにティッシュ箱が変形しにくい、ティッシュ箱保持具を提供する。【解決手段】ティッシュ箱保持具１は、鉛直面に固定される固定板２を有し、固定板２が鉛直面に固定されたとき、その固定板２上においてティッシュ箱の長さに相当する間隔をはさむ２箇所のそれぞれに、ティッシュ箱を位置決めできる繊維質部材３が接着されている。ティッシュ箱に掛けられるゴムひも４が、２箇所の繊維質部材３の内側または繊維質部材３と固定板２との間に設けた筒状部材６を通すことにより取り付けられている。【選択図】図１
0003167323.tif 000002
【実用新案登録請求の範囲】
【請求項１】
鉛直面上にティッシュ箱を取り付けるためのティッシュ箱保持具であって、
鉛直面に固定される固定板を有すること、
上記固定板の表面上には、固定板が鉛直面に固定されたときティッシュ箱の長さに相当する間隔をはさむ２箇所のそれぞれに、ティッシュ箱を位置決めできる盛り上がりを形成するように繊維質部材が接着されていること、
ティッシュ箱に掛けられるゴムひも等の伸縮性ある線材が、上記２箇所において繊維質部材の内側または繊維質部材と固定板との間に保持されることにより取り付けられていること
を特徴とするティッシュ箱保持具。
【請求項２】
上記の繊維質部材が、フェルトシートまたは厚手の布製シートであり、折り返されまたは巻き付けられていて、その折り返された部分または巻き付けられた部分の内側に筒状部材が取り付けられていること、
上記線材が、上記２箇所の繊維質部材における各筒状部材の内側に通されて保持されることにより取り付けられ、ティッシュ箱に当該線材２本が掛けられること
を特徴とする請求項１に記載のティッシュ箱保持具。
【請求項３】
上記の繊維質部材が、繊維を球状に集合させた繊維玉であり、当該繊維質部材と固定板との間に筒状部材が取り付けられていること、
上記線材が、上記２箇所の繊維質部材における各筒状部材の内側に通されて保持されることにより取り付けられ、ティッシュ箱に当該線材２本が掛けられること
を特徴とする請求項１に記載のティッシュ箱保持具。
【請求項４】
ティッシュ箱に２本が掛けられる上記の線材は、連続した１本の線材からなり、上記２箇所の繊維質部材うち１箇所の繊維質部材における筒状部材の内側に通され、他方の１箇所の繊維質部材における筒状部材の内側で端部同士および各端部と筒状部材とが接着されたものであることを特徴とする請求項２または３に記載のティッシュ箱保持具。
【請求項５】
上記筒状部材の長さが１．５〜５ｃｍであり、繊維質部材である上記シートの幅または上記繊維玉の直径が、筒状部材の長さと同等であることを特徴とする請求項２〜４のいずれかに記載のティッシュ箱保持具。
【請求項６】
上記固定板と筒状部材とが、合成樹脂によって一体に成形されたものであることを特徴とする請求項２〜５のいずれかに記載のティッシュ箱保持具。
【考案の詳細な説明】
【技術分野】
【０００１】
本考案は、ティッシュペーパーを収容したティッシュ箱を、壁や柱などの鉛直面上に保持するためのティッシュ箱保持具に関する。
【背景技術】
【０００２】
従来、ティッシュ箱は、棚や机の上に置いた状態で使用されているが、意外と場所をとるものである。また、置き場所がわからなくなったり、ほかのものに隠れていたりして、すぐに見つけられないこともある。このようなティッシュ箱を壁や柱などの鉛直面上に固定するための保持具の一つに、出願人の考案によるティッシュ箱保持具がある（下記の特許文献１）。
【０００３】
特許文献１のティッシュ箱保持具は、図５に例示されるもので、鉛直面（図示省略）に固定される１対の固定板２’を有し、各固定板２’の表面上には、突出する支持片３’がそれぞれ設けられている。一方の支持片３’の突出部分であってティッシュ箱の高さを超えない位置から、他方の支持片３’における同様の位置まで、ゴムひも４’が渡されている。１対の固定板２’は非伸縮性のシート５’で連結されている。非伸縮性のシート５’の長さは、シートを引張って真っ直ぐにしたとき、向かい合う支持片３’の間にティッシュ箱が長手向きにほぼ隙間なく収まるように設定されている。
【先行技術文献】
【特許文献】
【０００４】
【特許文献１】実用新案登録第３１６２３７２号公報
【考案の概要】
【考案が解決しようとする課題】
【０００５】
特許文献１のティッシュ箱保持具は、軽量・小型・低コストという利点はあるが、固定板の上に支持片が突出しているので、コンパクトに畳むことが不可能である。その結果、販売時や保管時等にかさばったり、大きな容積のパッケージが必要になって輸送効率が悪くなるなどの不都合があった。
また、固定板が薄いと、突出する支持片との接合部が強度不足になるため、固定板にはある程度の厚み（３ｍｍ程度以上）を必要とする。その厚みの分だけ鉛直面とティッシュ箱との間に隙間が生じることになるので、固定板の幅（ティッシュ箱の短手方向と同じ向きの寸法）を広くしない限りティッシュ箱が幅方向にガタつくという不都合もあった。
しかし、上記のような突出する支持片を設けずに、ティッシュ箱に掛けるゴムひもを固定板に直接（つまりゴムひものみで）接着すると、外観が劣るうえ、箱の重みでゴムひもが下方へ伸びて弛み、ティッシュ箱のずり下がりを招いてしまう。さらに、ティッシュ箱を横向きにしてゴムひもの１本をティッシュ取出し口付近に掛けるとともに他の１本を箱の下側に掛ける場合、支持片がないと箱の下側をうまく支えることができなくなるので、箱がずり下がってしまう。
【０００６】
上記の課題を考慮し、本考案は、ティッシュ箱を壁や柱などの鉛直面に保持するためのティッシュ箱保持具であって、販売時や保管時にコンパクトに収納できるうえ、保持したティッシュ箱のずり落ち防止ができ、さらに、箱の保持性能を上げるべくゴムひもの張力を強くした場合にもゴムひもがしっかり固定板に保持されるとともにティッシュ箱が変形しにくい等の利点を有するティッシュ箱保持具を提供することを目的とする。
【課題を解決するための手段】
【０００７】
上記課題を解決するため、考案にかかるティッシュ箱保持具は、
鉛直面上にティッシュ箱を取り付けるためのティッシュ箱保持具であって、
・鉛直面に固定される固定板を有すること、
・上記固定板の表面上には、固定板が鉛直面に固定されたときティッシュ箱の長さに相当する間隔をはさむ２箇所のそれぞれに、ティッシュ箱を位置決めできる盛り上がりを形成するように繊維質部材が接着されていること、
・ティッシュ箱に掛けられるゴムひも等の伸縮性ある線材が、上記２箇所において繊維質部材の内側または繊維質部材と固定板との間に保持されることにより取り付けられていること
を特徴とする。
【０００８】
上記した固定板は、２片に分かれていて繊維質部材を１つずつ有するものであっても、全長が一体に形成されていて２つの繊維質部材を上記の間隔でともに有するものであってもよい。２片に分かれている場合はコンパクトにデザインできる利点があり、全長が一体に形成されている場合は、２箇所の繊維質部材の間隔があらかじめ設定されるという利点がある。
また、ここにいうティッシュ箱の「長さ」とは、直方体のティッシュ箱の長手方向の寸法を示す。
固定板を鉛直面に固定するための手段は、固定板の裏面に両面接着テープを貼り付けて壁等に止める、といった一般的なものでよい。両面接着テープは再剥離型が好ましい。粘着力を強くしても、はがしたときの糊残りが少なく貼着面を汚さないからである。
【０００９】
上記のようなティッシュ箱保持具であれば、たとえば、２つの繊維質部材が垂直方向に並ぶように固定板を鉛直面に固定したのち、それらの繊維質部材間にティッシュ箱を縦にして（長手方向を鉛直にして）設置し、線材をティッシュ箱上に掛けることによって、ティッシュ箱を鉛直面に保持できる（図４（ａ）参照）。盛り上がりを形成する繊維質部材が、ティッシュ箱の位置決めを可能にし、縦にしたティッシュ箱のずり落ち止めにもなるからである。その結果、ティッシュ箱を壁や柱に取り付けることができ、見つけやすく、ティッシュも取り出しやすくなる。線材がティッシュ箱上に掛かっているので、箱が動かないように押えていなくても、片方の手だけでティッシュを抜き取ることができる。上記のティッシュ箱保持具は、２つの繊維質部材が水平方向に並ぶように固定板を鉛直面に固定しても（図２（ａ）参照）、同様の利点がある。
上記のティッシュ箱保持具は構成がシンプルなので、軽量・小型・低コストであり、またティッシュ箱の取り替え作業も容易に行える。
【００１０】
繊維質部材は、その繊維間に接着剤が入って強固に固定板に接着固定されやすいので、ティッシュ箱の出し入れやティッシュの取出しの際などに箱や線材を介して力を受けても固定板から剥がれにくい。そのため、線材の張力を増してティッシュ箱の保持を強く確実にすることも可能である。また、固定板上に盛り上がりを形成することから、繊維質部材は、満杯時に２００〜３００ｇあるティッシュ箱の重みの一部を受けることができ、上記の接着特性によりその状態を維持できる。これにより、考案のティッシュ箱保持具は、伸縮性ある線材が下方に向けて伸びるのを防ぎ、ティッシュ箱を安定して保持することが長期間可能になるという利点がある。
【００１１】
また、上記のティッシュ箱保持具は、特許文献１の保持具とは違って固定板の上に突出する支持片がなく背が低いので、かさばらない。その結果、不使用時の収納・保管をコンパクトに行うことができ、販売時のパッケージも小さく（特許文献１の保持具を収納する容積の約１／６に）することができるという利点も有している。
突出する支持片を設けるなら、固定板が薄いと接合部が強度不足になるが、本考案の保持具ではその制約がなくなるため、固定板を厚くする必要がない。つまり、ティッシュ箱とそれを取り付ける鉛直面との間の隙間を小さくできる。したがって、固定板の幅が小さくてもティッシュ箱が幅方向にガタつくのを抑制できる。
【００１２】
上記のティッシュ箱保持具は、固定板が２片に分かれている場合には、固定板が非伸縮性のシート（人が普通に手で引っ張っただけでは伸びることのないもので、たとえば紙、布、樹脂シート等）で連結されているとよい。固定板の全長が連続して形成されているものである場合と同様に、測定や調節をしなくとも、繊維質部材の間隔を適切に、つまりティッシュ箱の長さに合うように定めることができるからである。不織布やＯＰＰ（二軸延伸ポリプロピレン）等の折り畳み可能な材料でそのシートを形成すれば、保管時や販売時に保持具をコンパクトに折って取り扱うことも可能である。
また、繊維質部材は硬くないので、剥がれてゴムひも等の作用で弾け飛んでも安全である。
このようなティッシュ箱保持具であれば、ゴムひもを軽く引き伸ばすだけでティッシュ箱の脱着が可能なので、ティッシュ箱の交換が容易である。また、ゴムひもの収縮する力が、ティッシュ箱を固定板上に効果的に押し付ける作用をするので、安定的にティッシュ箱を保持できる。
【００１３】
請求項２に係るティッシュ箱保持具は、
・上記の繊維質部材が、フェルトシートまたは厚手の布製シートであり、折り返されまたは巻き付けられていて、その折り返された部分または巻き付けられた部分の内側に筒状部材が取り付けられていること、
・上記線材が、上記２箇所の繊維質部材における各筒状部材の内側に通されて保持されることにより取り付けられ、ティッシュ箱に当該線材２本が掛けられること
を特徴とする。図１・図２は、そのようなティッシュ箱保持具を例示している。
【００１４】
上記のようなティッシュ箱保持具であれば、繊維質部材（上記シート）の内部に筒状部材を入れてその中にゴムひも等の線材を通すので、筒状部材の剛性に基づいて繊維質部材の形が崩れにくく、端から剥がれていく事態も生じにくい。線材の端部を、接着剤を付けた状態で筒状部材の開口端から挿入する方法をとれば、筒状部材の内部で線材の端部間を接合することも容易に行える。なお、筒状部材は、長さ方向がティッシュ箱の幅方向を向くように取り付ける。
筒状部材の長さ分の間隔をあけて２本の線材をティッシュ箱に掛けられるので、ティッシュの取出し口の両側に線材を１本ずつ配置できて、強度やバランスの点でティッシュ箱を安定的に保持できる。したがって、ティッシュを取り出す際にティッシュ箱が落下しにくいという利点が生じる。また、線材からティッシュ箱に加わる力が分散されるためティッシュ箱が凹みにくくなる。
フェルトシートは柔らかくて丈夫で、接着剤との相性がよいので、筒状部材を包み込んだ状態で固定板に強固に接着される。また、接着剤となじみがよく、厚手で柔らかい丈夫なものであれば布製シートでもよい。なお、フェルトシートは獣毛のものが多いが、ここではその他の繊維、たとえば合成繊維でもよい。
【００１５】
請求項３に係るティッシュ箱保持具は、
・上記の繊維質部材が、繊維を球状に集合させた繊維玉であり、当該繊維質部材と固定板との間に筒状部材が取り付けられていること、
・上記線材が、上記２箇所の繊維質部材における各筒状部材の内側に通されて保持されることにより取り付けられ、ティッシュ箱に当該線材２本が掛けられること
を特徴とする。図１・図２は、そのようなティッシュ箱保持具を例示している。
【００１６】
このようなティッシュ箱保持具であれば、繊維質部材（繊維玉）と固定板との間に筒状部材を取り付けるので、請求項２に係るティッシュ箱保持具と同様に、筒状部材の剛性に基づいて繊維質部材の形が崩れにくく、端から剥がれていく事態も生じにくい。線材の端部を、接着剤を付けた状態で筒状部材の開口端から挿入する方法をとれば、筒状部材の内部で線材の端部間を接合することも容易に行える。なお、筒状部材は、長さ方向がティッシュ箱の幅方向を向くように取り付ける。
請求項２に係るティッシュ箱保持具と同様に、２本の線材の間隔が筒状部材の長さ分だけ広く設定できるから、ティッシュ箱が安定するうえ、力が分散してティッシュ箱が凹みにくい。
繊維玉は、球状であるので上記の盛り上がりを形成しやすいうえ、繊維間に接着剤が入るので強固に接着固定される。また、変形しやすいので広い面積を介して固定板と強く接着するうえ、広い面積を介して包み込むように筒状部材を保持できる。
【００１７】
請求項４に係るティッシュ箱保持具のように、ティッシュ箱に２本が掛けられる上記の線材は、連続した１本の線材からなり、上記２箇所のうち１箇所の繊維質部材における筒状部材の内側に通されるとともに、他方の１箇所の繊維質部材における筒状部材の内側で端部同士および各端部と筒状部材とが接着されたものであるとよい。図１（ｂ）・図３（ｂ）にはその例を示している。
【００１８】
そのようにすると、上記（請求項２・３の説明を参照）のように、線材の端部間の接合が、一方の筒状部材を利用して容易に行えるからである。また、筒状部材によって接合部分が隠れるので外観上も好ましい。線材の端部同士をこうして接着する方法は、帯結びなどに比べると線材の寸法誤差が生じにくく、作業性もよい。
【００１９】
請求項５に係るティッシュ箱保持具は、上記筒状部材の長さが１．５〜５ｃｍであり、繊維質部材である上記シートの幅または上記繊維玉の直径が、筒状部材の長さと同等である（同部材の長さより２ｍｍ程度まで大きい場合を含む）ことを特徴とする。
【００２０】
筒状部材の長さ（＝シートの幅・繊維玉の直径）が２本の線材の間隔を定めることになり、それが１．５ｃｍ程度以上であってその間隔が大きいほど、線材がティッシュ箱を押える位置が分散するので箱に凹みが発生しにくい。そのため、線材の張力を大きくして、ティッシュ箱を縦向きにも横向きにも保持することが可能になる。ティッシュ箱の保持効果とコスト等を勘案すると、筒状部材の長さの上限は５ｃｍ程度が好ましい。
上記のようにシートの幅や繊維玉の直径と筒状部材の長さとが同等であるなら、筒状部材が露出しないので外観が良く、線材からの張力が直接シートや繊維玉に作用するわけではないので、シートや繊維玉の端部を剥がすことがなく、繊維質部材が変形しがたい。なお、ここでいうシートの幅とは、ティッシュ箱に掛かる線材の延びた方向と直角方向の寸法をいう。
【考案の効果】
【００２１】
考案にかかるティッシュ箱保持具は、軽量・小型・低コストに構成できるうえ、かさばらないので収納・保管がコンパクトに行えるほか、販売時のパッケージも小さくできる。また、２本の伸縮性ある線材を間隔をあけてティッシュ箱に掛けることができるので、ティッシュ箱を安定的に保持するとともに箱の変形を防止できる。しかも、硬い構成部材を用いないので安全上も好ましい。
【図面の簡単な説明】
【００２２】
【図１】図１（ａ）は、考案の一実施形態としてのティッシュ箱保持具１を壁等の鉛直面（図示せず）に水平方向に取り付けた状態を示す正面図である。同（ｂ）は、その両端部付近の部分拡大図である。
【図２】図２（ａ）は、ティッシュ箱保持具１にティッシュ箱１０を横向きにしてセットした状態を示す全体図（斜め下方から見た図）で、同（ｂ）は、その右端部付近を下から見た部分拡大図である。
【図３】図３（ａ）は、別の実施形態であるティッシュ箱保持具２１を鉛直面に縦方向に取り付けた状態を示す正面図である。同（ｂ）は、その両端部付近の部分拡大図である。
【図４】図４（ａ）は、ティッシュ箱保持具２１にティッシュ箱１０を縦向きにしてセットした状態を示す全体図（斜め下方から見た図）で、同（ｂ）は、その下端部付近の側面図である。
【図５】従来のティッシュ箱保持具１’を示す斜視図である。
【考案を実施するための形態】
【００２３】
考案にかかるティッシュ箱保持具の一実施形態について、図１および図２に基づき説明する。
【００２４】
ティッシュ箱保持具１は、図１（ａ）・（ｂ）に示すように、一対の固定板２と、固定板２上に固定した繊維質部材であるフェルトシート３と、ティッシュ箱に掛け止めるためのゴムひも４と、２つの固定板２を連結する非伸縮性のＯＰＰ（二軸延伸ポリプロピレン）シート５と、フェルトシート３の内側にあってゴムひも４を通すための筒状部材である合成樹脂製のストロー６とからなる。
【００２５】
固定板２は、ポリプロピレン製の矩形のシートで、幅５ｃｍ、長さ３ｃｍ、厚さ１ｍｍの寸法を有する。ポリプロピレン製のシートは、とくに、ＰＯタイプのポリセーム（積水成形工業株式会社）であることが好ましい。強度や色彩がすぐれていてコスト面も有利であるほか、フェルトシート３と固定板２との接着を、一般的な接着剤（たとえばコニシ株式会社製ボンドＧ１７）を使用して良好に行えるからである。
【００２６】
２つの固定板２は、固定板２の裏面（壁等の鉛直面に向かい合う面）に端部を接着した上記ＯＰＰシート５で連結している。ＯＰＰシート５の幅は、固定板２と同様の５ｃｍとし、長さは、シート５を引っ張って真っ直ぐにしたとき、向かい合うフェルトシート３・３の間にティッシュ箱が長手向き（長さ２４．５ｃｍ）にほぼ隙間なく収まる（図２（ａ）・（ｂ）参照）ように設定している。ＯＰＰシート５は非伸縮性なので、測定や調節をしなくても、弛みなく引張ったときに２箇所のフェルトシート３・３の間隔が適切に決まる。また、ＯＰＰシート５は折り畳み可能なので、未使用のティッシュ箱保持具１は、シート５の部分で折りたたんでコンパクトに扱うことができる。非伸縮性のシートは、コンパクトに曲げられる性質を有するものであれば、ＯＰＰシート以外に紙や布地、不織布等も材料として利用できる。
固定板２を連結するこのようなシートに装飾性をもたせれば、ティッシュ箱を保持しない状態において外観がよくなる。なお、ティッシュ箱の長さは、メーカー等によって多少の差はあるが概ね一律であるため、一つの保持具を多種のティッシュ箱に使用できるようにすることが可能である。ゴムひもの張力を高くできることから、フェルトシートの間隔よりも短めのティッシュ箱を保持させることも難しくない。
【００２７】
固定板２に固定するフェルトシート３は、合成繊維からなる一枚のフェルトシートを二つ折りにしたもので、平面形状は略半円形としている。二つ折りにしたときの直線部分（折り山）３ａの内側にあらかじめ直径４ｍｍのストロー６をはさみ、接着剤（ボンドＧ１７）によりシート３の内側面同士をストロー６とともに接着し、さらにこれを固定板２の中央付近に接着している（図２（ｂ）参照）。筒状部材として合成樹脂製ストローを使用するので、内側を通すゴムひも４の強度を上げても、ストローの曲げ強度によってフェルトシート３の形が保持されやすい。
フェルトシート３の幅（直線部分３ａの長さ）およびストロー６の長さは、ともに４ｃｍである（１．５〜５ｃｍ程度であるのが好ましい）。両者を同じ寸法にし、またはストロー６をフェルトシート３の幅よりも２ｍｍ程度短くすると、ストロー６がフェルトシート３から露出することがなく、見た目も悪くならない。
【００２８】
フェルトシート３は、図１に示すように、直線部分３ａが向かい合うようにして２つの固定板２の表面の中ほど（各中央付近）にそれぞれ接着している。フェルトシート３が固定板２の中ほどに設けられているので、ストロー６に通したゴムひも４の張力がフェルトシート３に作用したときに、その力（固定板２を、取り付けている壁等の鉛直面から引き離す方向、すなわち、図２（ｂ）における上方向に働く力）が固定板２の中央付近に作用して周縁部には作用しないため、固定板２が壁等の鉛直面から剥がれにくくなる。したがって、ティッシュ箱保持具１を長期間安定的に使用できる。
【００２９】
ストロー６に通すゴムひも４の取り付け方法は、まず、連続した１本のゴムひも４（直径３ｍｍ）を、２箇所のうち１箇所のフェルトシート３におけるストロー６（直径４ｍｍ）内に貫通させ、次に、他方のフェルトシート３におけるストロー６の内側で、端部４ａ同士および各端部４ａとストロー６とを接着剤を用いて接着する（図１（ｂ）参照）。ゴムひも４の張力は、使用時において約３５０ｇになるように太さや長さを決めている。この張力であれば、ティッシュ箱を縦向きのみならず横向きにも保持でき、またティッシュ箱を変形させることがないからである。直径１．５ｍｍ程度の細いゴムひもの場合には、各端部の長さ２ｃｍ程度をストロー６（直径３．５ｍｍ）内で重ねて二重にすると、上記のように端部同士を突き合わせた場合よりも接着強度が増すので好ましい。
このようにしてゴムひも４を取り付けると、ゴムひも４の端部４ａ間の接合が一方のストロー６を利用して容易に行える。また、ストロー６によってゴムひも４の接合部分が隠れるので、外観上も好ましい。
【００３０】
なお、ＯＰＰシート５の端部（固定板２の接着部分）の裏面に、再剥離型の両面接着テープ７（剥離紙付き。たとえば、株式会社ニトムズの再はく離一般用両面テープ、Ｎｏ．５０００ＮＳ）を貼り付けている（図２（ｂ）参照）。
【００３１】
このようなティッシュ箱保持具１は、ポリプロピレン製のシートやフェルトシート、ストロー、ゴムひもといった入手容易な安価な材料で構成されるので、低コストで容易に製作可能である。
【００３２】
以上のように構成されたティッシュ箱保持具１を、壁などの鉛直面（図示せず）に固定するときは、固定板２の両面接着テープ７の剥離紙（図示せず）をはがしたうえ、鉛直面に接着するだけでよい。このとき、ＯＰＰシート５が弛みなく伸ばされるように２箇所の固定板２を左右に配置することにより、フェルトシート３の間隔をティッシュ箱の長さに容易に合わせることができる。
【００３３】
鉛直面に固定されたティッシュ箱保持具１の向かい合うフェルトシート３の間に、図２（ａ）のようにティッシュ箱１０をセットし、２本のゴムひも４を、ティッシュ箱１０のティッシュ取出し口１０ａの両側付近を通してその表面に掛ける。２本のゴムひも４が、ストロー６によって４ｃｍの間隔をあけてティッシュ箱１０に掛けられるので、ゴムひも４から作用する力が分散されてティッシュ箱１０が凹みにくい。そのためゴムひも４の張力を強くすることができ、ティッシュ箱１０は横向きであっても、２本のゴムひも４により安定的に保持される。当然のことながら、ティッシュ箱保持具１を縦向きにして鉛直面に取り付け、ティッシュ箱１０を縦向きに保持することも可能である。この場合、ティッシュ箱１０はゴムひも４の張力と、下方のフェルトシート３とによって、より安定的に保持される。
【００３４】
フェルトシート３は固定板２の中央付近に設けられているので、フェルトシート３に接続されたゴムひも４がティッシュ箱１０上に掛けられたとき、ゴムひも４がティッシュ箱１０を鉛直面側（図２（ｂ）における下方向）に押付ける作用をして、固定板２が鉛直面からはがれようとするのを防ぐ。したがって、ＯＰＰシート５の裏面に貼り付ける両面接着テープ７は、超強力と呼ばれるほどのものは必要としないし、あまり広い接着面積も必要としない。
【００３５】
つぎに、別の実施形態としてのティッシュ箱保持具２１を、図３および図４に基づいて説明する。
図３（ａ）・（ｂ）のティッシュ箱保持具２１は、フェルトシート３ではなく、ウーリーナイロンやポリプロピレン等の合成繊維を球状に集合させた繊維玉２３を、繊維質部材として用いている。図４（ｂ）に示すように、繊維玉２３と固定板２との間にストロー６をはさみ、接着剤で繊維玉２３とストロー６を固定板２に接着して固定している。繊維玉２３の直径は１．５ｃｍで、ストロー６の長さもほぼ等しい（ストロー６の方が２ｍｍ程度短いのもよい）。
【００３６】
繊維玉２３は、球状なので十分な盛り上がりを固定板２上に形成できるうえ、繊維間に接着剤が入りやすく、変形させてストロー６を包み込むように保持し、広い面積で固定板２に接着固定することができる。
繊維玉２３を固定板２のほぼ中央付近に配置すること、ゴムひも４を一方のストロー６に通し、両端部４ａ同士を他方のストロー６の内側で接着して固定すること等は、前記したティッシュ箱保持具１の場合と同様である。また、ティッシュ箱保持具１と同一の構成部分については、符号を同一にして説明を省略する。
【００３７】
ティッシュ箱保持具２１を壁などの鉛直面に図４（ａ）のように縦向きに固定するときは、両面接着テープ７（図４（ｂ））の剥離紙をはがしたうえ、２つの固定板２が上下に並ぶように向けてＯＰＰシート５を弛まないように伸ばして鉛直面に接着する。鉛直面に固定されたティッシュ箱保持具２１の２箇所の繊維玉２３間に、図４（ａ）・（ｂ）のようにティッシュ箱１０をセットし、ゴムひも４をティッシュ箱１０の取出し口１０ａの両側を通してその表面に掛ける。ティッシュ箱１０は、２本のゴムひも４の張力と、下方の繊維玉２３の盛り上がりとによって安定的に保持される。当然のことながら、ティッシュ箱保持具２１は、前記したティッシュ箱保持具１と同様、２つの固定板２（繊維玉２３）を水平に並べて鉛直面に固定し、そのうえでティッシュ箱１０を横向きに保持することも可能である。
【００３８】
本考案は、上記の各実施形態に記載した数値や形状、材料等によって制限されるものではない。たとえば、フェルトシートの形状は略半円形以外の、矩形、三角形、五角形、ハート型等にすることも考えられる。フェルトシートに替えて厚手の布製シートを使用するのもよい。
また、図３・図４等の例に示した固定板と筒状部材とは、合成樹脂によって一体に成形することも可能である。固定板上での筒状部材の盛り上がりによってティッシュ箱を位置決めすることができる。その場合も、ゴムひもの端部は、接着剤を付けてその筒状部材の内側に挿入することにより、端部同士を突き合わせまたは二重に重ねて接着するとよい。
【符号の説明】
【００３９】
１・２１  ティッシュ箱保持具
２  固定板
３  フェルトシート（繊維質部材）
４  ゴムひも（線材）
５  ＯＰＰシート（非伸縮性シート）
６  ストロー（筒状部材）
１０  ティッシュ箱
２３  繊維玉（繊維質部材）
【図１】
0003167323.tif 000003
【図２】
0003167323.tif 000004
【図３】
0003167323.tif 000005
【図４】
0003167323.tif 000006
【図５】
0003167323.tif 000007